(57)【要約】      （修正有）【課題】フロアーに敷いたカーペット、絨毯、又は畳などの敷物の縁に生じる段差を無くす為の見切り材を提供する。【解決手段】見切り材１は軟質樹脂又は低発泡樹脂から成る本体６と補助片７の２ピース構造とし、本体は先端から基部に向いて傾斜した表面１１を有す概略三角形断面とした長尺材で、基部側表面には凹溝９を有し、補助片は凹溝に嵌って底面は両面テープにて固定され、傾斜した補助片の表面１２は本体の表面と連続し、本体及び補助片の表面には互いに異なる色彩又は模様のシートを貼り付け、基部側の底面には位置ズレ防止シート８を貼り付けると共に、フロアーに敷かれた畳の底に差し込まれるように外に延ばしている。【選択図】図２
0003221583.tif 000002
【実用新案登録請求の範囲】
【請求項１】
フロアーに敷いたカーペット、絨毯、又は畳などの敷物の縁に沿って配置される見切り材において、
該見切り材は軟質樹脂又は低発泡樹脂から成る本体と補助片の２ピース構造とし、
本体は先端から基部に向いて傾斜した表面を有す概略三角形断面とした長尺材で、基部側表面には凹溝を有し、上記補助片は該凹溝に嵌って底面は両面テープ又は接着剤にて固定され、傾斜した補助片の表面は本体の表面と連続し、本体及び補助片の表面には互いに異なる色彩又は模様のシートを貼り付け、
基部側の底面には位置ズレ防止シートを貼り付けると共に、フロアーに敷かれたカーペット、絨毯、又は畳の底に差し込まれるように外に延ばしていることを特徴とする見切り材。
【請求項２】
上記敷物の厚さが違ってフロアーからの表面高さが異なる場合、本体の凹溝に嵌って取付けられる補助片の基端表面が敷物表面との間に段差が生じないような高さ寸法Ｍとした請求項１記載の見切り材。
【考案の詳細な説明】
【技術分野】
【０００１】
本考案はフロアーに敷いた畳やカーペットなどの敷物の縁に発生する段差を解消することが出来る見切り材に関するものである。
【背景技術】
【０００２】
床（フロアー）の片隅に畳を敷いたり、又はカーペットや絨毯を敷くことが多い。
しかし、フロアーに畳やカーペットなどを敷くならば、縁にはフロアー面との間に段差が生じ、この段差が歩く際の障害となって躓き、ケガをするといった恐れがある。
また、身体障碍者が車椅子を室内で使う場合、上記フロアー面の段差は車椅子の移動の障害になる。
【０００３】
そこで、上記段差を解消するために見切り材を取付けて、歩くときに躓かないように、また、車椅子が通過し易いようにしている。
見切り材はフロアーから滑らかに傾斜して立ち上がる斜面を有し、また畳やカーペットの縁上面を被覆するカバー部を設けていて、該見切り材はフロアーにネジ止めなどで固定されている。
ところで、従来から色々な形態の見切り材が知られている。
【０００４】
特開２０１５−１０４０１号に係る「床見切り材」は、様々な高さの段差に対応することができ、かつ、段差を緩やかに繋ぐことが出来る。
第１の面と第２の面との間又は第１の面及び第２の面の境界近傍に配置され、上面が開放され長手方向に延びる軸支持部を備える縦長の本体部と、軸支持部に回動可能に支持される略円柱状の軸部、軸部から幅方向外側に延びる第１延出部、及び第１延出部の幅方向外側の端部から下方に屈曲してさらに幅方向外側に延びる第２延出部を有するつば部を備えている。
【０００５】
特開２００４−１５０１１１号に係る「床見切り」は、受け材と見切り材とから成る嵌合方式の床見切りであって、施工性に優れ、施工後は受け材から見切り材が外れ難く、しかも、繰り返して使用することが出来る。
床見切りは、１組の立上り片が突設された受け材と、１組の溝が設けられた見切り材とから成っている。見切り材の溝の最小幅は受け材の立上り片の最大厚さよりも大きく設定され、しかも、受け材の立上り片は傾斜状態に設けられ、立上り片の壁面には膨出部が設けられる。
そして、見切り材の溝は傾斜状態に設けられ、溝の内壁面には膨出部が嵌合する凹部が備えられる。
【０００６】
ところで、上記見切り材は構造的に複雑であり、数センチほどの段差を有すフロアーの見切り材として据え付ける場合には好ましいであろうが、フロアーに敷いた比較的厚さの薄い畳やカーペットとの間の段差を解消する為の見切り材としては適さない。
【特許文献１】特開２０１５−１０４０１号に係る「床見切り材」
【特許文献２】特開２００４−１５０１１１号に係る「床見切り」
【考案の開示】
【考案が解決しようとする課題】
【０００７】
このように、見切り材には色々なタイプ（形態）のものが知られているが、本考案はフロアー（床面）にカーペットや絨毯、又は比較的厚さの薄い畳を敷いた場合に生じる段差を解消する目的であり、構造が簡単で手軽に配置することが出来る見切り材を提供する。  しかも、敷物の厚みが変わっても対応することが出来ると共に、意匠性に優れた見切り材を提供する。
【課題を解決するための手段】
【０００８】
本考案に係る見切り材は２ピース構造とし、一定断面を有す長尺材から成る本体と、同じく一定断面を有す長尺材から成る補助片の組合せで構成している。上記本体の上面は先端から傾斜して高くなり、傾斜表面の基部側には凹溝が形成され、該凹溝に上記補助片が篏合して組付けされる。
該見切り材は本体の凹溝に補助片が篏合した状態で連続した傾斜表面を形成している。該見切り材はカッターナイフで切断することが出来るように、軟質系又は低発泡樹脂で構成している。
【０００９】
そして、傾斜して高くなった基部側底面には厚さの薄い樹脂シート又はフイルムが貼着されて長手方向に延びている。しかも、軟質樹脂から成るシート又はフィルムは基部端から外にはみ出した幅寸法と成っていて、はみ出し部分はカーペットや絨毯、又は畳の下に敷かれて滑り止めとして機能する。
上記本体の表面、補助片の表面にはシートが貼着され、該シートの色彩は一般に違わせている。
【考案の効果】
【００１０】
本考案に係る見切り材は、フロアー面に敷かれたカーペット、絨毯、又は畳の縁に配置される。見切り材の表面は先端から立ち上がって滑らかに傾斜していることで、カーペット、絨毯、又は畳の縁に形成されて垂直に起立する段差を無くことが出来、歩いた際に足先が係止するツマヅキが解消される。
また、車椅子を利用する身体障碍者にとって、フロアーにカーペットや畳を敷いても、見切り材が配置されることで、容易に乗り上げて通過できる。
【００１１】
本考案の見切り材は軟質樹脂又は低発泡樹脂で構成され、その為にカッターナイフで簡単に切断することが出来、フロアーに敷いたカーペットや絨毯、又は畳の縁に手軽に配置することが可能である。
そして、基部の底面には軟質樹脂シート、又はフイルムが貼着されて、外方向へはみ出し、このはみ出した部分はフロアーに敷いたカーペットや絨毯、畳の下に差し込まれることで、見切り材の位置ズレが防止される。
【００１２】
さらに、本体の凹溝には補助片が嵌って組み合わされており、互いに色違いとするならば、見切り材の意匠性が向上し、カーペット、絨毯、又は畳が敷かれたフロアーの外観が向上する。
一方、凹溝に嵌合して組み合わされる補助片は適当に選択することが出来、敷物の厚さ（高さ寸法）に合った補助片とすることが出来る。
【図面の簡単な説明】
【００１３】
【図１】フロアーに敷いた畳の縁に本考案の見切り材を配置した場合で、（ａ）は断面図、（ｂ）は平面図を表している。
【図２】本考案の見切り材の断面を示す実施例。
【図３】本体と補助片とが互いに分離している場合の見切り材。
【図４】本体と補助片の色彩又は模様を違わせた見切り材。
【図５】敷物である畳表面の高さが異なる場合、見切り材の高さ寸法Ｍの違う補助片にて、畳表面との間に段差を生じないようにした具体例。
【考案を実施するための形態】
【００１４】
図１は本考案の見切り材をフロアーに敷いた畳の縁に配置している使用例であり、同図の１は見切り材、２はコーナー材、３は畳をそれぞれ表している。畳３はある程度の厚さを有し、その縁はフロアー４との間に段差を有しているが、縁に見切り材１を配置することで、この段差は無くなり、畳表面５とフロアー４とは滑らかな傾斜面にて繋がれる。
【００１５】
図２は本考案に係る見切り材１を示す実施例で、断面を表している。該見切り材１は、本体６、補助片７、及び位置ズレ防止シート８で構成され、本体６は概略三角形断面をした長尺材であり、基部側表面には上記補助片７が組み合わされている。基部側には凹溝９が長手方向に形成され、この凹溝９に上記補助片７が嵌って取付けられている。
ここで、補助片７が凹溝９から外れないように補助片７は両面テープを介して凹溝９の底面に貼着すると共に、基端にはツバ１０を設けて互いに噛合っている。
【００１６】
そして、本体６の表面１１は先端から傾斜して立ち上がり、基部側を高くし、補助片７の表面１２も傾斜面としていて、両表面１１，１２は連続した傾斜面と成っている。
本体６の基部側底面には、上記位置ズレ防止シート８が取付けられ、該本体６の基端から外方向へ延びている。この位置ズレ防止シート８はフロアー４に敷かれる畳３の底に位置して上方から作用する重量にて押圧され、その為に該畳３の縁に配置される見切り材１が位置ズレすることはない。
【００１７】
また、上記本体６の表面１１にはシート１３が貼着され、また補助片７の表面１２にもシート１４が貼着されている。そして、該シート１３とシート１４は色彩又は模様を異にし、その為に、見切り材１は互いに異なる色彩又は模様の本体６と補助片７とで構成される。
フロアー４、畳３、及び２色から成る見切り材１との組み合わせで、意匠的に優れたフロアー面を構成することが出来る。
【００１８】
図３は本体６と補助片７とが互いに分離している状態を表しているが、本体６に設けた凹溝９に補助片７が嵌り、該補助片７は両面テープ又は接着剤などにて固定される。
ところで、本考案の見切り材１を構成する本体６及び補助片７は軟質樹脂又は低発泡樹脂が用いられ、その為に、該見切り材１を据え付ける際には、カッターナイフで必要な長さに手軽に切断することが出来る。
カッターナイフで切断された切り口は上記コーナー材２、及び先端材が嵌って被覆される為に、切断角が露出することはなく、切断角に触れてケガすることもない。
【００１９】
図４（ａ）〜（ｄ）は本考案の見切り材１の外観を示す具体例である。見切り材１は本体６と補助片７とが組み合わされて構成しているが、本体６の表面１１に貼着するシート１３と補助片７の表面１２に貼着するシート１４の色彩又は模様を違わせることで、（ａ）〜（ｄ）に示すような外観の見切り材１とすることが出来る。
したがって、色彩と模様が互いに違うことで、両部材の組合せによって、各種意匠の見切り材１を構成することが出来る。
【００２０】
ところで、フロアー４に敷かれる敷物は色々あって、例えばカーペット、絨毯、又は畳などが使われる。これら敷物の厚みは異なるが、本考案の見切り材１はあらゆる敷物にも対応出来るように構成している。
本体６と補助片７との組み合わせで構成している見切り材１は、図２に示すように、その基部端の高さは寸法はＨと成っている。この高さ寸法Ｈが変化する場合には、上記補助片７を変えて本体６の凹溝９に嵌めることが出来る。
【００２１】
図５は敷物である畳３の表面５の高さが違う場合の実施例を示している。
（ａ）の場合、本体６ａの底に取付けた位置ズレ防止シート８ａは樹脂製のシートが用いられていて、その厚みは大きい。これに対して、（ｂ）の場合、本体６ｂの底に取付けた位置ズレ防止シート８ｂはフイルムが用いられていて、その厚みは小さい。したがって、これら位置ズレ防止シート８ａ，８ｂの上に配置された畳３ａ，３ｂは、その畳表面５ａ，５ｂの高さは僅かに異なる。
【００２２】
そこで、本考案では本体６ａ，６ｂは同じであるが、（ａ）に示す見切り材１ａを構成する補助片７ａの基端側の高さ寸を法Ｍａとし、（ｂ）に示す見切り材１ｂを構成する補助片７ｂの基端側の高さ寸を法Ｍｂとしている。上記位置ズレ防止シート８ａ，８ｂの厚さ寸法の違いは、補助片７ａ，７ｂの高さ寸法Ｍａ、Ｍｂにて対処している。すなわち、Ｍａ＞Ｍｂとしている。
したがって、両見切り材１ａ，１ｂの基端と畳表面５ａ，５ｂとの間に段差が発生することはない。
【００２３】
勿論、厚い畳３と薄い絨毯の場合を、補助片７を交換することで対処することは出来ないが、共に比較的薄い絨毯とカーペットであれば、補助片７を変えることで対応可能である。
【符号の説明】
【００２４】
１   見切り材
２   コーナー材
３   畳
４   フロアー
５   表面
６   本体
７   補助片
８   位置ズレ防止シート
９   凹溝
10   ツバ
11   表面
12   表面
13   シート
14   シート
【図１】
0003221583.tif 000003
【図２】
0003221583.tif 000004
【図３】
0003221583.tif 000005
【図４】
0003221583.tif 000006
【図５】
0003221583.tif 000007